(57)【要約】      （修正有）【課題】運動、栄養、メディカル、生活習慣のどれか１つの評価に基づき、データを総合的に評価し総合的なフィットネスデータを提供する。【解決手段】利用者端末からの利用者のフィットネス評価尺度データを受信する手段と、利用者を認証する手段と、データベースサーバ装置に格納してある運動と栄養とメディカルと生活習慣とメンタルの５つの評価軸データを参照して、科学的根拠に基づいたメンタルデータの評価尺度の作成と実証実験を基に、５つの評価尺度の相互依存についての科学的根拠を評価し、利用者の総合的なフィットネス指針を算出する手段を有し、算出したフィットネス指針を利用者端末に送る手段から構成する。【選択図】図１３
2009244964.tif 000002
【特許請求の範囲】
【請求項１】
運動、栄養、生活習慣、メンタル、メディカルの５つの評価軸のそれぞれの評価尺度の相互依存度について科学的な検証を基にしたデータベースと、当該データベースを管理するコンピュータと、利用者を認証する手段と、利用者の評価尺度データを入力する手段と、利用者が入力した評価尺度データに応じて５つの評価軸のデータベースを参照して利用者に適するフィットネスの指針を算出するフィットネス評価プログラムと、該プログラムを管理してデータ処理をする評価処理コンピュータと、前記フィットネス指針を利用者に報知させる手段からなり利用者にフィットネス指針を提供することを特徴とするトータルフィットネス評価システム。
【請求項２】
利用者を認証する手段と利用者の評価尺度データを入力する手段から入力された利用者の評価尺度データに基づき、運動、栄養、生活習慣、メンタル、メディカルの５つの評価軸のデータベースを参照して利用者に適するフィットネスの指針データを算出することを特徴とするトータルフィットネス評価プログラム
【請求項３】
利用者端末装置と通信可能にされた利用者を認証する手段と、利用者の評価尺度データを入力する手段と、運動、栄養、生活習慣、メンタル、メディカルの５つの評価軸のそれぞれの評価尺度の相互依存度について科学的な検証を基にしたデータベースと、利用者の評価データを処理する評価処理コンピュータを用いて、前記利用者を認証する手段が利用者の識別情報により利用者を認証した後に、前記利用者の評価尺度データを入力する手段から入力された利用者のフィットネス評価尺度データを受信し、前記評価処理サーバを使用して、前記５つの評価軸のデータベースを参照して利用者のフィットネス評価指針データを算出してトータルフィットネス指針として編集し、利用者に報知させる手段により、利用者に該トータルフィットネス指針を報知させることを特徴とするトータルフィットネス評価データの提供方法
【発明の詳細な説明】
【技術分野】
【０００１】
本発明は、利用者の運動、栄養、生活習慣、メンタルヘルス（メンタル）、メディカルの５つの評価軸のデータに基づき、利用者の総合的なフィットネスの指針を提供するトータルフィットネス評価システム、トータルフィットネス評価プログラム、利用者へのトータルフィットネス評価データの提供方法に関するものである。
【背景技術】
【０００２】
フィットネス評価やフィットネス管理システムに関して、運動の評価データに基づくシステムやプログラムがある（特許３８７８１２５号）
【０００３】
フィットネス評価やフィットネス管理システムに関して、栄養の評価データに基づくシステムがある（特開２００５−２１５８０３、特表２００５−５２８１３３）
【０００４】
フィットネス評価やフィットネス管理システムに関して、メディカル面の評価データに基づくシステムがある（特開２００６−３４５９７３）
【０００５】
フィットネス評価やフィットネス管理システムに関して、生活習慣面の評価データに基づくシステムがある（特開２００５−５００８６９）
【０００６】
フィットネス評価やフィットネス管理システムに関して、運動と個人データ（身長、体重、家族病歴など）に基づくシステムがある（特開２００６−１１９７７３）
【０００７】
トータルフィットネスには、未だ確立していない科学的根拠に基づいたメンタルの評価尺度の作成と実証実験に基づく評価尺度が必要であるとの研究があり、本出願の発明者による研究成果がある（非特許文献１）
【０００８】
フィットネス評価データに関して、利用者の運動、栄養、生活習慣、メディカルの個々のデータについて、其々の専門家が利用者のフィットネス指針を作成管理する方法または各々のデータを管理して各々のフィットネスデータを提供する方法であり、これらの個々のデータ管理方法ではメンタルデータとフィットネス評価の関連についてはデータ管理がなされることがなく、またこれらの個々のデータを統合的に（トータルに）評価して統合的な（トータルな）フィットネス評価データを提供するデータ提供方法ではなかった。
【０００９】
【非特許文献１】トータルフィットネスマネージメントシステムの実証的検討平成１８年度千葉県発健康づくり推進事業研究成果報告書（国立大学法人  東京医科歯科大学  保健体育研究室）
【特許文献１】特許３８７８１２５号
【特許文献２】特開２００６−３４５９７３
【特許文献３】特開２００６−１１９７７３
【特許文献４】特開２００５−２１５８０３
【特許文献５】特表２００５−５２８１３３
【特許文献６】特表２００５−５００８６９
【発明の開示】
【発明が解決しようとする課題】
【００１０】
上記の背景技術における従来のフィットネス評価システムでは、運動、栄養、メディカル、生活習慣のどれか１つの評価に基づくシステムであった。
【００１１】
メンタル面に関しては、メンタル評価に基づくフィットネス評価は科学的に未だ完成していない状況にあった。
【００１２】
さらに、運動、栄養、生活習慣、メンタル、メディカルの５つの評価軸のそれぞれの評価尺度の相互依存度については、未だ科学的な検証がなされていないため、５つの評価軸を同時に使用するトータルフィットネス評価ができなかった。
【００１３】
また、従来のフィットネスデータの提供方法は、利用者の運動、栄養、生活習慣、メディカルの個々のデータについて、其々の専門家が利用者のフィットネス指針を作成して提供する方法であり、これらの個々のデータ管理とデータの提供方法ではメンタルデータとフィットネス評価の関連についてはデータ管理がなされることがなく、これらのデータを総合的に評価して総合的なフィットネスデータを提供する方法はなかった。
【００１４】
本発明は、上記の課題に鑑みてなされたものであり、利用者の評価尺度データに対して、科学的な検証に基づいて作成した５つの評価軸による総合的なフィットネス評価を行い、利用者にフィットネスの指針を提供するトータルフィットネス評価システム、利用者のフィットネスの指針データを算出するトータルフィットネス評価プログラム、トータルフィットネス評価データを提供する方法を提供することを目的とするものである。
【課題を解決するための手段】
【００１５】
請求項１に記載のトータルフィットネス評価システムは、インターネット等の通信網に接続された利用者端末からの利用者のフィットネス評価尺度データ（利用者の入力データ）を受信する手段と、利用者を認証する手段と、データベースサーバ装置に格納してある運動と栄養とメディカルと生活習慣とメンタルの５つの評価軸データ（年代別の基準点数データ）を参照して利用者のフィットネス指針を算出する手段を有し、算出したフィットネス指針を利用者端末に送る手段から構成する。前記データベースサーバに格納してある運動と栄養と生活習慣とメディカルとメンタルの５つの評価軸データは、科学的根拠に基づいたメンタルデータの評価尺度の作成と実証実験を基に、５つの評価尺度の相互依存についての科学的根拠を評価して作成した。前記利用者のフィットネス評価尺度データに対して、前記データベースサーバに格納してある５つの評価軸データを参照して利用者のフィットネス指針（利用者への出力データ）を算出して、利用者に提供することを特徴としたシステムである。
【００１６】
該トータルフィットネス評価システムは、利用者の運動得点を算出する手段である運動データ評価サブシステム、利用者の栄養得点を算出する手段である栄養データ評価サブシステム、利用者の健康習慣得点を算出する手段である生活習慣データ評価サブシステム、メンタルデータの判定をする手段であるメンタルバランス評価サブシステム、メディカルデータの判定をする手段であるフィジカルバランス評価サブシステム、トータルバランスを評価する手段であるトータルバランス評価サブシステムから構成する。これらのサブシステムはそれぞれサーバ・コンピュータとフィットネスデータ処理プログラムから構成する。該トータルフィットネス評価システムにおける利用者のトータルフィットネス評価指針の算出と利用者への提供は次のようにして行う。
【００１７】
利用者のフィットネス評価尺度データを基にして、データベースサーバ装置に格納してある年代別運動項目別基準点数テーブルを参照して、運動データ評価サブシステムにより、利用者の運動得点を算出する。
【００１８】
利用者のフィットネス評価尺度データを基にして、データベースサーバ装置に格納してある年代別栄養項目別基準点数テーブルを参照して、栄養データ評価サブシステムにより、利用者の栄養得点を算出する。
【００１９】
利用者のフィットネス評価尺度データを基にして、データベースサーバ装置に格納してある年代別職業別項目別基準点数テーブルを参照して、生活習慣データ評価サブシステムにより、利用者の生活習慣得点を算出する。
【００２０】
利用者のフィットネス評価尺度データから、算出した利用者の運動得点と栄養得点と生活習慣得点を基にして、データベースサーバ装置に格納してある運動と栄養と生活習慣とメンタルとメディカルと５つの評価軸データを参照して、メンタルデータ評価サブシステムとメンタルバランス評価サブシステムにより、利用者のメンタルデータの判定得点を算出する。
【００２１】
利用者のフィットネス評価尺度データから、算出した利用者の運動得点と栄養得点と健康習慣得点を基にして、データベースサーバ装置に格納してある運動と栄養と生活習慣とメンタルとメディカルの５つの評価軸データを参照して、メディカルデータ評価サブシステムとフィジカルバランス評価サブシステムにより、利用者のメディカルデータの判定得点を算出する。
【００２２】
算出した利用者のメンタルデータの判定得点とメディカルデータの判定得点を基に、トータルバランス評価サブシステムにより、バランス評価判定を行い、利用者のトータルフィットネス指針を作成する。メンタルバランス評価サブシステムとフィジカルバランス評価サブシステムとトータルバランス評価サブシステムを合せて総合バランス評価サブシステムとして構成してもよい。
【００２３】
作成した利用者のトータルフィットネス指針は、該トータルフィットネス指針を利用者端末に送る手段を使用して、利用者の端末に送信する。
【００２４】
請求項２に記載のトータルフィットネス評価プログラムは、トータルフィットネス評価システムのサーバ装置のデータ処理プログラムであり、利用者のフィットネス評価尺度データと、データベースサーバに格納してある科学的根拠に基づいた運動と栄養とメディカルと生活習慣とメンタルの５つの評価軸データを照合して、利用者のフィットネス指針データを算出することを特徴としている。
【００２５】
該トータルフィットネス評価プログラムは、利用者の運動得点を算出する手段である運動データ評価プログラム、利用者の栄養得点を算出する手段である栄養データ評価プログラム、利用者の健康習慣得点を算出する手段である生活習慣データ評価プログラム、メンタルデータの判定をする手段であるメンタルデータ評価プログラム及びメンタルバランス評価プログラム、メディカルデータの判定をする手段であるメディカルデータ評価プログラム及びフィジカルバランス評価プログラム、トータルバランスを評価する手段であるトータルバランス評価プログラムから構成する。
【００２６】
メンタルバランス評価プログラムとフィジカルバランス評価プログラムとトータルバランス評価プログラムを合せて総合評価プログラムとしてもよい。
【００２７】
運動データ評価プログラムは、利用者のフィットネス評価尺度データを基にして、データベースサーバ装置に格納してある運動と栄養と生活習慣とメンタルとメディカルの５つの評価軸データを参照して、利用者の運動得点を算出するように構成する。栄養データ評価プログラムは、利用者のフィットネス評価尺度データを基にして、データベースサーバ装置に格納してある運動と栄養と生活習慣とメンタルとメディカルの５つの評価軸データを参照して、利用者の栄養得点を算出するように構成する。生活習慣データ評価プログラムは、利用者のフィットネス評価尺度データを基にして、データベースサーバ装置に格納してある運動と栄養と生活習慣とメンタルとメディカルの５つの評価軸データを参照して、利用者の生活習慣得点を算出するように構成する。メンタルバランス評価プログラムは、利用者のフィットネス評価尺度データに対して、算出した利用者の運動得点と栄養得点と生活習慣得点を基にして、データベースサーバ装置に格納してある運動と栄養と生活習慣とメンタルとメディカルの５つの評価軸データを参照して、利用者のメンタルデータの判定得点を算出するように構成する。メディカルバランス評価プログラムは、利用者のフィットネス評価尺度データに対して、算出した利用者の運動得点と栄養得点と生活習慣得点を基にして、データベースサーバ装置に格納してある運動と栄養と生活習慣とメンタルとメディカルの５つの評価軸データを参照して、利用者のメディカルデータの判定得点を算出するように構成する。算出した利用者のメンタルデータの判定得点とメディカルデータの判定得点を基に、トータルバランス評価プログラムにより、バランス評価判定を行い、利用者のフィットネス指針データを作成するように構成する。
【００２８】
該トータルフィットネス評価プログラムを構成するプログラムは、前記トータルフィットネス評価システムを構成するサブシステムのフィットネスデータ処理プログラムとして動作するように構成してもよい。
【００２９】
請求項３に記載のトータルフィットネス評価データの提供方法は、インターネット等の通信網に接続された利用者端末からの利用者を認証する手段と、利用者のフィットネス評価尺度データを受信する手段と、前記利用者のフィットネス評価尺度データを基に、データベースサーバ装置に格納してある運動と栄養と生活習慣とメンタルとメディカルの５つの評価軸データのデータベースを参照して、利用者のフィットネス指針を算出する手段を使って、トータルフィットネス評価データを算出し、該フィットネス評価データを利用者のトータルフィットネス指針として編集して、利用者端末に送る手段を使用して、該トータルフィットネス指針を利用者に送ることを特徴とするトータルフィットネス評価データの提供方法である。
【００３０】
前記データベースサーバに格納してある運動と栄養とメディカルと生活習慣とメンタルの５つの評価軸データは、利用者の運動、栄養、生活習慣、メンタル、メディカルの個々のデータについて、其々の専門家が科学的根拠に基づいたメンタルデータの評価尺度の作成と実証実験を基に、メンタルデータとフィットネス評価の関連についてはデータを作成し、さらに５つの評価尺度の相互依存についての科学的根拠を評価して年代別に基準点数データとして作成する。
【００３１】
前記利用者のフィットネス評価尺度データに対して、前記データベースサーバに格納してある５つの評価軸データを参照して、前記利用者のフィットネス評価データを算出する手段であるトータルフィットネス評価システムのサーバ装置とトータルフィットネス評価プログラムを利用して、利用者のトータルフィットネス評価データを算出し、該トータルフィットネス評価データを編集して、利用者のトータルフィットネス指針として利用者に提供するトータルフィットネス評価データの提供方法である。
【発明の効果】
【００３２】
請求項１に記載の発明によれば、トータルフィットネス評価システムは、科学的根拠の実証実験に基づく５つの評価軸データにより、利用者の評価尺度データに対するトータルフィットネス評価を行い、利用者に従来の方法では得られなかった総合的なフィットネスの指針を提供することができるようになる。
【００３３】
請求項２の発明によれば、科学的根拠の実証実験に基づく５つの評価軸データを参照して、利用者の評価尺度データに対するトータルフィットネス評価のデータ処理を行い、従来のプログラムでは得られなかった総合的なフィットネスの指針データを算出することができるようになる。
【００３４】
請求項３の発明によれば、利用者の運動、栄養、生活習慣、メディカルのデータを基に其々の専門家が利用者の個々のデータに基づくフィットネス指針を作成して提供する従来の方法に比べて、これらの個々のデータとメンタルデータとの関連を評価して、運動、栄養、生活習慣、メディカル、メンタル５つの評価尺度により、これらのデータを総合的に評価して、利用者に総合的なフィットネス評価指針を迅速に提供でき、利用者の利便性が格段に向上する。
【発明を実施するための最良の形態】
【００３５】
以下、本発明の最良の実施形態について図面を参照しつつ具体的に説明する。
【実施例１】
【００３６】
請求項１に記載の発明の実施例を説明する。図１３は、トータルフィットネス評価システムを構成する主要部の構成例を示す図である。図１３において、利用者端末装置は、利用者の認証データの入力と認証の送受信や利用者のフィットネス評価尺度データの入力やフィットネス指針の送受信を行うものであり、インターネットに接続したパソコンで構成してもよい。図１３において、フィットネス評価軸データベースは、たとえば非特許文献１に記載の研究成果により裏付けされた科学的根拠に基づく運動と栄養とメディカルと生活習慣とメンタルの５つの評価軸データとその評価軸データの相互依存のデータから構成するとともに、その後の研究成果の知見を反映して更新したフィットネス指針に有効なデータを含むように年代別に基準点数データとして構成する。図１３において、フィットネス評価軸データベース作成更新システムは、該フィットネス評価軸データから、５つのフィットネス評価軸データと５つの評価軸データの相互依存データからなるフィットネス評価軸データベースを作成更新する。図１３において、トータルフィットネス評価システムは、トータルフィットネス評価サーバとトータルフィットネス評価プログラムと前記フィットネス評価軸データベースから構成する。該トータルフィットネス評価システムは、利用者端末から送られた利用者データにより利用者を認証後、利用者から送られたフィットネス評価尺度データをもとに、フィットネス評価軸データベースを参照して、利用者のフィットネス指針を算出して、利用者端末装置に送出するように動作させる。該トータルフィットネス評価システムは、プログラムを複数の機能ごとに分割して、複数のサブシステムから構成するようにしてもよい。
【００３７】
図１は、トータルフィットネス評価システムを構成する、各サブシステムの構成の一例である。各サブシステムは、サーバ・コンピュータと利用者のフィットネスデータの処理プログラムから構成する。
利用者端末から受信した利用者のフィットネス評価尺度データを基に、運動データ評価サブシステム、栄養データ評価サブシステム、生活習慣データ評価サブシステムにてそれぞれ利用者のフィットネスデータの運動得点と栄養得点と生活習慣得点を算出する。利用者端末から受信した利用者のフィットネス評価尺度データ中のメンタルデータを基に、メンタルデータ評価サブシステムにて、利用者のメンタル得点を算出する。利用者端末から受信した利用者のフィットネス評価尺度データ中のメディカルデータを基に、メディカルデータ評価サブシステムにて利用者のメディカル得点を算出する。
メンタルバランス評価サブシステムにて、利用者のフィットネスデータの運動得点と栄養得点と生活習慣得点に対して、前記利用者のメンタル得点を参照して、利用者の改善要点を算出する。
フィジカルバランス評価サブシステムにて、利用者のフィットネスデータの運動得点と栄養得点と生活習慣得点に対して、前記利用者のメディカル得点を参照して、利用者の改善要点を算出する。
トータルバランス評価サブシステムにて、前記利用者のメンタル得点とフィジカル得点を比較し、その総合評価から該重点改善項目のバランスの改善軸データとストレス因子データを編集して、利用者のトータルフィットネス指針として、利用者のパソコンなどに送る。
【００３８】
利用者の入力するフィットネス評価尺度データを基に、利用者のフィットネス指針を算出する方法を図２から図９を使って具体的に説明する。
運動データ評価サブシステムの処理フローを図２に示す。
入力された利用者の運動データの項目ごとに、年代別運動項目別基準点数テーブルから基準点数を読み込み、比較を行い、問題因子を判定して改善要点データをファイルに書き込む。次に得点を加算する。入力された全項目に対して加算した運動得点を運動得点ファイルに書き込む。
栄養データ評価サブシステムの処理フローを図３に示す。
入力された利用者の栄養データの項目ごとに、年代別栄養項目別基準点数テーブルから基準点数を読み込み、比較を行い、問題因子を判定して改善要点データをファイルに書き込む。次に得点を加算する。入力された全項目に対して加算した栄養得点を栄養得点ファイルに書き込む。
生活習慣データ評価サブシステムの処理フローを図４に示す。
入力された利用者の生活習慣データの項目ごとに、年代別職業別生活習慣項目別基準点数テーブルから基準点数を読み込み、比較を行い、問題因子を判定して改善要点データをファイルに書き込む。次に得点を加算する。入力された全項目に対して加算した生活習慣得点を生活習慣得点ファイルに書き込む。
メンタルデータ評価サブシステムの処理フローを図５に示す。
入力された利用者のメンタルデータの項目ごとに、年代別メンタル項目別基準点数テーブルから基準点数を読み込み、比較を行い、問題因子を判定してストレス原因データをファイルに書き込む。次に得点を加算する。入力された全項目に対して加算した得点をメンタル得点ファイルに書き込む。
メディカルデータ評価サブシステムの処理フローを図６に示す。
入力された利用者のメディカルデータの項目ごとに、年代別メディカル項目別基準点数テーブルから基準点数を読み込み、比較を行い、疾病因子を判定して疾病因子データをファイルに書き込む。次に得点を加算する。入力された全項目に対して加算した得点をメディカル得点ファイルに書き込む。
メンタルバランス評価サブシステムの処理フローを図７に示す。
利用者の前記運動得点と栄養得点と生活習慣得点をファイルから読み込み、職業別性別年代別メンタルバランス基準点数テーブルから基準点数を読み込み、比較処理を行い、それぞれのデータの差を求め、差が大きい値を改善するべき重点軸と判定して改善軸データを作り、利用者のメンタル得点を読み込み、該改善軸データに対応して運動、栄養、生活習慣の何れかの改善要点ファイルを参照して、メンタルバランスの改善軸と改善項目をファイルに書き込む。
フィジカルバランス評価サブシステムの処理フローを図８に示す。
利用者の前記運動得点と栄養得点と生活習慣得点をファイルから読み込み、職業別性別年代別身体バランス基準点数テーブルから基準点数を読み込み、比較処理を行い、それぞれのデータの差を求め、差が大きい値を改善するべき重点軸と判定して改善軸データを作り、利用者のメディカル得点を読み込み、該改善軸データに対応して運動、栄養、生活習慣の何れかの改善要点ファイルを参照して、フィジカルバランスの改善軸と改善項目をファイルに書き込む。
トータルバランス評価サブシステムにより、バランス評価判定を行い、各評価軸の必須項目を決定して必須項目の得点を得る。得られた得点により、利用者のフィットネス指針を算出する。算出した利用者のフィットネス指針を利用者端末に送る。フィジカルバランス点数とメンタルバランス点数を基にして各評価軸の必須項目を決定する処理機能を図９に示す。
メンタル得点ファイルから利用者の得点データを読み込み、メディカル得点ファイルから利用者の得点データを読み込み、利用者のメンタルバランスの改善軸と改善項目データを読み込み、利用者のフィジカルバランスの改善軸と改善項目データを読み込み、メンタル得点とフィジカル得点を比較して値が大きい得点の方を「改善するべき重点項目」として選択する（メンタルまたはフィジカルを選択する）。次にストレス因子のデータを読み込み、疾病因子のデータを読み込む。前記改善するべき重点項目と、選択した「メンタルバランスの改善軸と改善項目データ」または「フィジカルバランスの改善軸と改善項目データ」と、メンタル面のストレス因子のデータと、メディカル面の疾病因子のデータを利用者の利用者のフィットネス指針として編集して、利用者端末に送る。
トータルフィットネス評価システムの利用者の入力データの項目を図１０に示す。
トータルフィットネス評価システムのデータベースの５つの評価軸データ（年代別基準点数テーブル）の項目を図１１に示す。トータルフィットネス評価システム利用者のトータルフィットネス指針となる改善要点ファィルのデータ項目を図１２に、得点ファイルのデータ項目を図１２−１に示す。
トータルフィットネス評価システムの利用者への出力例を図１６に示す。
【００３９】
利用者の認証方法を具体的に説明する。利用者がトータルフィットネス評価システムを利用できる利用者であることを認証するために、あらかじめ利用者として登録されたデータと利用者が利用開始時に利用者端末から入力する利用者情報を照合する。利用者は、たとえば会員制で利用できるトータルフィットネス評価システムの場合は、利用期間の会費を支払うことにより、利用者として登録できるようにする。
【００４０】
前述の、図２〜図９の処理フローは、ほかの処理方法の処理フローにしてもよい。
【実施例２】
【００４１】
請求項２に記載の発明の実施例を説明する。
【００４２】
トータルフィットネス評価プログラムは、トータルフィットネス評価システムにおけるデータ処理機能を実現するプログラムであり、図１に示すトータルフィットネス評価システムを構成する各サブシステムにおけるそれぞれのフィットネスデータの処理プログラム（サブプログラム）から成るように構成する。図1の各サブシステムは、サーバ・コンピュータと利用者のフィットネスデータの処理プログラムから構成する。該トータルフィットネス評価プログラムは、利用者のフィットネス評価尺度を基にして、利用者のトータルフィットネス指針を算出する。
【００４３】
トータルフィットネス評価プログラムは、たとえば、運動データ評価サブシステムを構成する運動データ評価サブプログラムと、栄養データ評価サブシステムを構成する栄養データ評価サブプログラムと、生活習慣データ評価サブシステムを構成する生活習慣データ評価サブプログラムと、総合評価システムを構成する総合評価プログラムから成るように構成してもよい。
該総合評価プログラムは、メンタルデータの判定をする手段であるメンタルデータ評価サブプログラム及びメンタルバランス評価サブプログラムと、フィジカルデータの判定をする手段であるフィジカルデータ評価サブプログラム及びフィジカルバランス評価サブプログラムと、算出したメンタルバランス得点とフィジカルバランス得点データを基にしてバランス評価判定を行い、各評価軸の必須項目を決定して利用者のフィットネス指針を得るトータルバランス評価サブプログラムから構成する。
【００４４】
トータルフィットネス評価プログラムによるトータルフィットネス指針の算出方法を具体的に説明する。利用者が入力したフィットネス評価尺度データの中から運動のデータを基に、運動データ評価プログラムにより、運動の評価軸データベースを参照して、図２に示す処理フローにより、入力された利用者の運動データの項目ごとに、年代別運動項目別基準点数テーブルより標準値、基準点数を読み込み、入力値と標準値との比較と標準偏差により問題因子を判定して改善要点データをファイルに書き込む。次に上記で判定した際の基準点数を得点とする。運動項目に数だけ繰り返し得点を加算する。入力された全項目に対して加算した運動得点を運動得点ファイルに書き込むことにより、利用者の運動の評価軸得点データを得る。
【００４５】
利用者が入力したフィットネス評価尺度データの中から栄養のデータを基に、栄養データ評価プログラムにより、図３に示す処理フローにより、入力された利用者の栄養データの項目ごとに、年代別栄養項目別基準点数テーブルより標準値、基準点数を読み込み、入力値と標準値との比較を行い、標準偏差により問題因子を判定して改善要点データをファイルに書き込む。次に上記で判定した際の基準点数を得点とする。栄養項目の数だけ繰り返し得点を加算する。入力された全項目に対して加算した栄養得点を栄養得点ファイルに書き込むことにより、利用者の栄養の評価軸得点データを得る。
【００４６】
利用者が入力したフィットネス評価尺度データの中から生活習慣のデータを基に、生活習慣データ評価プログラムにより、図４に示す処理フローにより、入力された利用者の生活習慣データの項目の「有無」の回答に応じて問題因子を判定し、年代別職業別生活習慣項目別基準点数テーブルより基準点数を読み込み、改善要点データをファイルに書き込む。次に上記で判定した際の基準点数を得点とする。生活習慣項目の数だけ繰り返し得点を加算する。入力された全項目に対して加算した生活習慣得点を生活習慣得点ファイルに書き込むことにより、利用者の生活習慣の評価軸得点データを得る。
【００４７】
メンタルデータ評価サブプログラムは、図５に示す処理フローにより、入力された利用者のメンタルデータの項目の「有無」の回答に応じて問題因子を判定し、年代別メンタル項目別基準点数テーブルより基準点数を読み込み、ストレス原因データをファイルに書き込む。次に上記で判定した際の基準点数を得点とする。生活習慣項目の数だけ繰り返し得点を加算する。入力された全項目に対して加算した得点をメンタル得点ファイルに書き込む。
【００４８】
メディカルデータ評価サブプログラムは、図６に示す処理フローにより、入力された利用者のメディカルデータの項目ごとに、年代別メディカル項目別基準点数テーブルより標準値を読み込み、入力値と標準値との比較を行い、所見の有無により疾病因子を判定して疾病因子データをファイルに書き込む。次に上記で判定した際の基準点数を得点とする。メンタル項目の数だけ繰り返し得点を加算する。入力された全項目に対して加算した得点をメディカル得点ファイルに書き込む。
【００４９】
メンタルバランス評価サブプログラムは、図７に示す処理フローにより、利用者の前記運動得点と栄養得点と生活習慣得点をファイルから読み込み、職業別メンタルバランス基準点数テーブルより運動、栄養、生活習慣の基準点数を読み込み、前記の利用者の得点との比較処理を行い、それぞれのデータの差を求め、差が大きい値を改善するべき重点軸と判定して改善軸データを作り、利用者のメンタル得点を読み込み、該改善軸データに対応して運動、栄養、生活習慣の何れかの改善要点ファイルを参照して、メンタルバランスの改善軸と改善項目をファイルに書き込む。
【００５０】
フィジカルバランス評価サブプログラムは、図８に示す処理フローにより、利用者の前記運動得点と栄養得点と生活習慣得点をファイルから読み込み、年代別身体バランス基準点数データを読み込み、比較処理を行い、それぞれのデータの差を求め、差が大きい値を改善するべき重点軸と判定して改善軸データを作り、利用者のメディカル得点を読み込み、該改善軸データに対応して運動、栄養、生活習慣の何れかの改善要点ファイルを参照して、フィジカルバランスの改善軸と改善項目をファイルに書き込む。
トータルバランス評価サブプログラムにより、バランス評価判定を行い、各評価軸の必須項目を決定して必須項目の得点を得る。得られた得点により、利用者のフィットネス指針を算出する。算出した利用者のフィットネス指針を利用者端末に送る。
【００５１】
メンタルバランス得点とフィジカルバランス得点を基にして各評価軸の必須項目を決定する処理機能を図９に示す。
メンタル得点ファイルから利用者の得点データを読み込み、フィジカル得点ファイルから利用者の得点データを読み込み、利用者のメンタルバランスの改善軸と改善項目データを読み込み、利用者のフィジカルバランスの改善軸と改善項目データを読み込み、メンタル得点とフィジカル得点を比較して値が大きい得点の方を「改善するべき重点項目」として選択する（メンタルまたはフィジカルを選択する）。次にストレス因子のデータを読み込み、疾病因子のデータを読み込む。前記改善するべき重点項目と、選択した「メンタルバランスの改善軸と改善項目データ」または「フィジカルバランスの改善軸と改善項目データ」と、メンタル面のストレス因子のデータと、フィジカル面の疾病因子のデータを利用者のフィットネス指針として編集する。
【００５２】
利用者の入力データの項目を図１０に示す。データベースの５つの評価軸データ（年代別基準点数テーブル）の項目を図１１に示す。
利用者のトータルフィットネス指針となる改善要点ファィルのデータ項目を図１２に、利用者のトータルフィットネス指針となる利用者の得点ファイルのデータ項目を図１２-１に示す。
【００５３】
前述の、図２〜図９の処理フローは、ほかの処理方法の処理フローにしてもよい。
【実施例３】
【００５４】
請求項３に記載の発明の実施例を、従来の方法と対比して説明する。
【００５５】
従来のフィットネスデータの指針の提供方法を図１４に示す。
利用者は、運動のフィットネス指針を運動指導者などから入手する。運動指導者などは自らの知見または運動の評価データ提供システムから入手するデータに基づき運動のフィットネス指針を利用者に提供する。利用者は、直接に運動の評価データ提供システムから入手するデータにより、運動のフィットネス指針とすることもある。利用者は、栄養のフィットネス指針を栄養士などから入手する。栄養士などは自らの知見または栄養の評価データ提供システムから入手するデータに基づき栄養のフィットネス指針を利用者に提供する。利用者は、直接に栄養の評価データ提供システムから入手するデータにより、栄養のフィットネス指針とすることもある。利用者は、メディカル面のフィットネス指針を医師などから入手する。医師などは自らの知見またはメディカル（メディカル）データの提供システムから入手するデータに基づきメディカル面のフィットネス指針を利用者に提供する。利用者は、直接にメディカルデータの提供システムから入手するデータにより、メディカル面のフィットネス指針とすることもある。利用者は、生活習慣の改善とフィットネス指針を医師、保健師などから入手する。医師、保健師などは自らの知見または生活習慣の評価データ提供システムから入手するデータに基づき生活習慣面のフィットネス指針を利用者に提供する。利用者は、直接に生活習慣の評価データ提供システムから入手するデータにより、生活習慣の改善とフィットネス指針とすることもある。利用者は、メンタル面の改善指導を医師や心理カウンセラーから入手するが、メンタル面の改善が、フィットネスに結び付くデータにならないことがほとんどである。
以上のように従来の方法は、利用者が、運動、栄養、メディカル、生活習慣、メンタル面について個々にデータを収集して個々のフィットネスの指針としており、特にメンタル面とフィットネスのデータの関連は明確でなく、利用者が個々のフィットネス指針から統合的な（トータルな）フィットネス指針を自分で推測するしかなく、トータルなフィットネス指針データを得ることは極めて困難であった。
【００５６】
本発明のトータルフィットネス評価データの提供方法を図１５に示す。
インターネットに接続した利用者端末から入力された利用者のフィットネス尺度データに基づき、インターネットに接続したトータルフィットネス評価システムを使用して、運動、栄養、メディカル、生活習慣、メンタルの５つの評価軸データベースを参照してトータルフィットネス評価データを算出して、該トータルフィットネス評価データからトータルフィットネス指針を編集して、インターネットに接続した利用者端末から利用者にトータルフィットネス指針を提供するデータの提供方法である。データベースには、科学的根拠に基づく運動、栄養、メディカル、生活習慣、メンタルの５つの評価軸データを格納しておく。トータルフィットネス評価システムは、図１３に示すように構成する。
このように本発明のトータルフィットネス評価データの提供方法では、利用者のフィットネス評価尺度データにより、運動、栄養、生活習慣、メンタル、メディカルの５つの評価尺度をトータルに評価して、トータルなフィットネス評価を行い、トータルフィットネス指針データを利用者に提供することが可能となる。
トータルフィットネス評価システムの利用者の入力データの項目を図１０に示す。
トータルフィットネス評価システムのデータベースの５つの評価軸データ（年代別基準点数テーブル）の項目を図１１に示す。トータルフィットネス評価システム利用者に提供するトータルフィットネス指針となる改善要点ファィルのデータ項目を図１２に、得点ファイルのデータ項目を図１２−１に示す。
トータルフィットネス評価システムの利用者への出力例を図１６に示す。
【産業上の利用可能性】
【００５７】
本発明は、利用者にトータルフィットネス評価に基づくフィットネス指針を提供する情報サービス産業に利用できる。
【図面の簡単な説明】
【００５８】
【図１】本発明に係わるトータルフィットネス評価システムを構成する主なサブシステムを示すシステム構成図である。
【図２】本発明に係わる運動データ評価サブシステムの処理フローを示す図である。
【図３】本発明に係わる栄養データ評価サブシステムの処理フロー示す図である。
【図４】本発明に係わる生活習慣データ評価サブシステムの処理フローを示す図である。
【図５】本発明に係わるメンタルデータ評価サブシステムの処理フロー示す図である。
【図６】本発明に係わるメディカルデータ評価サブシステムの処理フロー示す図である。
【図７】本発明に係わるメンタルバランス評価サブシステムの処理フロー示す図である。
【図８】本発明に係わるフィジカルバランス評価サブシステムの処理フロー示す図である。
【図９】本発明に係わるトータルバランス評価サブシステムの処理フロー示す図である。
【図１０】本発明に係わるトータルフィットネス評価システムの利用者の入力データの項目を示す図表である
【図１１】本発明に係わるトータルフィットネス評価システムのデータベースの５つの評価軸データ（年代別基準得点テーブル）の項目を示す図表である
【図１２】本発明に係わるトータルフィットネス評価システム利用者のトータルフィットネス指針となる改善要点ファィルのデータ項目を示す図表である
【図１２−１】本発明に係わるトータルフィットネス評価システム利用者のトータルフィットネス指針となる利用者の得点ファイルのデータ項目を示す図表である。
【図１３】本発明に係わるトータルフィットネス評価システムを構成する主要部の構成例を示す図である。
【図１４】従来のフィットネス評価データの提供方法を示す図である。
【図１５】本発明に係わるトータルフィットネス評価データの提供方法を示す図である。
【図１６】本発明に係わるトータルフィットネス評価システム利用者への出力結果の例を示す図である。
【符号の説明】
【００５９】
１００  「運動データ評価サブシステム」：運動項目のデータを入力し、得点を取得し、「改善要点ファイル」に書き込み、運動改善指針を印刷し、バランス評価のために「運動得点ファイル」に書き込む。
２００  「栄養データ評価サブシステム」：栄養項目のデータを入力し、得点を取得し、「改善要点ファイル」に書き込み、栄養改善指針を印刷し、バランス評価のために「栄養得点ファイル」に書き込む。
３００  「生活習慣データ評価サブシステム」：生活習慣項目のデータを入力し、得点を取得し、生活習慣得点ファイルに書き込み、問題因子を印刷し、バランス評価のために「生活習慣得点ファイル」に書き込む。
４００  「メンタルデータ評価サブシステム」：メンタル項目のデータを入力し、得点を取得し、精神ストレス原因ファイルに書き込み、ストレス改善指針を印刷、バランス評価のために「メンタル得点ファイル」に書き込む。
５００  「メディカルデータ評価サブシステム」：メディカル項目のデータを入力し、得点を取得し、疾病原因ファイルに書き込み、疾病因子を印刷し、バランス評価のために「メディカル得点ファイル」に書き込む。
６００  「メンタルバランス評価」：ネガティブなメンタル状態の原因因子を判定するために「運動得点ファイル」、「栄養得点ファイル」、「生活習慣得点ファイル」、「メンタル得点ファイル」、の４つの評価軸から得点データを読み、「メンタルバランス基準点数テーブル」のデータと比較し、改善すべき「運動」、「栄養」、「生活習慣」の３つの評価軸から改善すべき重点軸を判定する。
７００  「フィジカルバランス評価」：疾病に関する問題のある身体状態の原因因子を判定するために「運動得点ファイル」、「栄養得点ファイル」、「生活習慣得点ファイル」、「メディカル得点ファイル」、の４つの評価軸から得点データを読み、「フィジカルバランス標準テーブル」のデータと比較し、改善すべき「運動」、「栄養」、「生活習慣」の３つの評価軸から改善すべき重点軸を判定する。
８００  「総合バランス診断」：疾病に関する問題のある身体状態の改善を促すために精神的な精神ストレス状態を指摘し、ストレスの原因となる「運動」、「栄養」、「生活習慣」の原因要素、改善指針を指摘する。
１００−１  運動項目測定データの入力。
１００−２  「年代別運動項目別基準点数テーブル１１０」から基準点数を読み込む。
１００−３  入力データの測定値と基準点数テーブルの標準値および偏差値を比較し、測定データの基準点数（＋５〜−５）を得点として決定。
１００−４  基準点数のしきい値より低い点の測定項目を問題因子とし、この項目を「改善要点ファイル１２０」に追加レコードで書き込む。
１００−５  測定項目毎に取得した得点を加算処理する。
１００−６  「運動改善指針１００−６」を印刷。印刷しない場合もある
１００−７  全項目の読み込みが終るまで繰り返す。
１００−８  最終得点を「運動得点ファイル１３０」に書き込む。
２００−１  栄養項目測定データの入力。
２００−２  「年代別栄養項目別基準点数テーブル２１０」から基準点数を読み込む。
２００−３  入力データの摂取量と基準点数テーブルの標準値および偏差値を比較し、測定データの基準点数（＋５〜−５）を得点として決定。
２００−４  基準点数のしきい値より低い点の測定項目を問題因子とし、この項目を「改善要点ファイル２２０」に追加レコードで書き込む。
２００−５  測定項目毎に取得した得点を加算処理する。
２００−６  「栄養改善指針２００−６」を印刷。（印刷しない場合もある）
２００−７  全項目の読み込みが終るまで繰り返す。
２００−８  最終得点を「栄養得点ファイル２３０」に書き込む。
３００−１  生活習慣項目測定データの入力。
３００−２  「年代別・職業別生活習慣項目別基準点数テーブル３１０」から基準点数を読み込む。
３００−３  入力データの生活習慣項の有無により基準点数テーブルの基準点数（＋５〜−５）を得点として決定。
３００−４  基準点数のしきい値より低い得点の測定項目を問題因子とし、この項目を「改善要点ファイル１２０」に追加レコードで書き込む。
３００−５  測定項目毎に取得した得点を加算処理する。
３００−６  「生活習慣改善指針３００−６」を印刷。（印刷しない場合もある）
３００−７  全項目の読み込みが終るまで繰り返す。
３００−８  最終得点を「生活習慣得点ファイル３３０」に書き込む。
４００−１  メンタル項目測定データの入力。
４００−２  「年代別メンタル項目別基準点数テーブル４１０」をから基準点数を読み込む。
４００−３  入力データのメンタル項目の有無によりと基準点数テーブルの基準点数（＋５〜−５）を得点として決定。
４００−４  基準点数のしきい値より低い得点の測定項目を問題因子とし、この項目を「ストレス原因ファイル１２０」に書き込む。
４００−５  測定項目毎に取得した得点を加算処理する。
４００−６  「ストレス改善指針４００−６」を印刷。（印刷しない場合もある）
４００−７  全項目の読み込みが終るまで繰り返す。
４００−８  最終得点を「メンタル得点ファイル４３０」に書き込む。
５００−１  メディカル項目測定データの入力。
５００−２  「年代別メディカル項目別基準点数テーブル５１０」から基準点数を読み込む。
５００−３  入力データの医学的検査項目の所見によりと基準点数テーブルの基準点数（＋５〜−５）を得点として決定。
５００−４  基準点数のしきい値より低い得点の測定項目を問題因子とし、この項目を「疾病因子ファイル５２０」に書き込む。
５００−５  測定項目毎に取得した得点を加算処理する。
５００−６  「疾病因子５００−６」を印刷。（印刷しない場合もある）
５００−７  全項目の読み込みが終るまで繰り返す。
５００−８  最終得点を「メディカル得点ファイル５３０」に書き込む。
６００−１  運動得点ファイル１３０」、「栄養得点ファイル２３０」、「生活習慣得点ファイル３３０」の３つの評価軸から得点データを読む。
６００−２  「職業別・性別・年代別メンタルバランス基準点数テーブル６１０」から職業別の運動軸基準点数、栄養軸基準点数、生活習慣軸基準点数を読む。
６００−３  運動軸基準点数と運動得点の差、栄養軸基準点数と栄養得点の差、生活習慣軸基準点数と生活習慣得点の差を求め、差の大きい値の順に改善すべき重点軸の順位を判定する。
６００−４  「ストレス原因ファイル４２０」よりストレス原因データを読む。
６００−５  ６００−３で判定した「運動」、「栄養」、「生活習慣」のどれかにより
６００−５−１  「運動改善要点ファイル１２０」または
６００−５−２  「栄養改善要点ファイル２２０」または
６００−５−３  「生活習慣改善要点ファイル３２０」から改善項目名のデータを読む。
６００−６  「メンタルバランス評価ファイル６２０」へ改善すべき重点軸の順位順に「ストレスの原因」、「改善すべき要点」を書き込む。
７００−１  「運動得点ファイル１３０」、「栄養得点ファイル２３０」、「生活習慣得点ファイル３３０」の３つの評価軸ファイルから運動得点、栄養得点、生活習慣得点データを読む。
７００−２  「職業別・性別・年代別身体バランス基準点数テーブル７１０」から年代別の運動軸基準点数・栄養軸基準点数・生活習慣軸基準点数を読む。
７００−３  運動軸基準点数と運動得点の差、栄養軸基準点数と栄養得点の差、生活習慣軸基準点数と生活習慣得点の差を求め、差の大きい値の順に改善すべき重点軸の順位を決定する
７００−４  「疾病因子ファイル５２０」より疾病因子データを読む。
７００−５  ７００−３で判定した「運動」、「栄養」、「生活習慣」のどれかにより
７００−５−１  「運動改善要点ファイル１２０」または
７００−５−２  「栄養改善要点ファイル２２０」または
７００−５−３  「生活習慣改善要点ファイル３２０」から改善項目名のデータを読む。
７００−６  「フィジカルバランス評価ファイル７２０」へ改善すべき重点軸の順位順に「疾病因子」、「改善すべき要点」を書き込む。
８００−１  「メンタル得点ファイル４３０」と「フィジカル得点ファイル５３０」から得点データを読む。
８００−２  メンタル得点とフィジカル得点の差を求め、差の大きい値を改善すべき重点項目として「メンタル面」か「フィジカル面」かのどちらかを選択する。
８００−３  「ストレス因子ファイル４２０」からストレス因子を読み込む。
８００−４  「ストレス改善指針コメントテーブル」からストレス改善指針コメントを読み込む。
８００−５  「疾病因子ファイル５２０」から疾病因子を読み込む。
８００−６  「フィジカル改善指針コメントテーブル」からフィジカル改善指針コメントを読み込む。
８００−７  健康改善指針として、８００−２で判定したメンタル面またはフィジカル面の重点項目を印刷し、メンタル面でのストレスになっている項目とフィジカル面で疾病の因子になっている項目についてその原因を印刷する。
更に、８００−２で判定した重点項目を印刷し、「メンタルバランスの改善軸と改善項目の印刷データ８１０」又は「フィジカルバランスの改善軸と改善項目の印刷データ８２０」のどちらかを印刷する。
１１０  年代別運動項目別基準点数テーブル
２１０  年代別栄養項目別基準点数テーブル
３１０  年代別・職業別生活習慣項目別基準点数テーブル
４１０  年代別メンタル項目別基準点数テーブル
５１０  年代別メディカル項目別基準点数テーブル
【図１】
2009244964.tif 000003
【図２】
2009244964.tif 000004
【図３】
2009244964.tif 000005
【図４】
2009244964.tif 000006
【図５】
2009244964.tif 000007
【図６】
2009244964.tif 000008
【図７】
2009244964.tif 000009
【図８】
2009244964.tif 000010
【図９】
2009244964.tif 000011
【図１０】
2009244964.tif 000012
【図１１】
2009244964.tif 000013
【図１２】
2009244964.tif 000014
【図１２−１】
2009244964.tif 000015
【図１３】
2009244964.tif 000016
【図１４】
2009244964.tif 000017
【図１５】
2009244964.tif 000018
【図１６】
2009244964.tif 000019